(57)【要約】【課題】端末装置の性能情報や提供情報の著作権情報に基づいて、提供情報を受信するか否かを判断する。【解決手段】端末インタフェース部３１や制御部３３が送信元端末の性能情報や提供情報の著作権情報を含む通知情報を取得する。端末インタフェース部３１が、提供情報が送信先端末に送信される前に、通知情報を送信先端末に送信する。【選択図】  図１
2005078118.tif 000002
【特許請求の範囲】
【請求項１】
送信元端末の性能情報又は提供情報の著作権情報の少なくとも１つを含む通知情報を取得する取得手段と、
該取得手段が取得した通知情報を、前記提供情報が送信先端末に送信される前に、前記送信先端末に送信する送信手段と
を備えることを特徴とする通信システム。
【請求項２】
前記送信手段は、前記送信先端末に、前記通知情報を含む着信通知を送信することを特徴とする請求項１に記載の通信システム。
【請求項３】
前記送信手段は、前記送信先端末に、前記提供情報の格納先情報及び前記通知情報を含むメッセージを送信することを特徴とする請求項１に記載の通信システム。
【請求項４】
前記取得手段が取得した前記通知情報に基づいて、前記格納先情報及び前記通知情報を含むメッセージを生成する生成手段を備え、
前記送信手段は、前記生成手段が生成したメッセージを送信することを特徴とする請求項３に記載の通信システム。
【請求項５】
送信元端末の性能情報又は提供情報の著作権情報の少なくとも１つを含む通知情報を、前記提供情報を受信する前に受信する受信手段と、
該受信手段が受信した通知情報を出力する出力手段と
を備えることを特徴とする端末装置。
【請求項６】
前記通知情報に基づいて、前記提供情報を受信するか否かを判断する判断手段を備えることを特徴とする請求項５に記載の端末装置。
【請求項７】
端末装置自身の性能情報又は提供情報の著作権情報の少なくとも１つを含む通知情報を含むメッセージを生成する生成手段と、
該生成手段が生成したメッセージを送信する送信手段と
を備えることを特徴とする請求項５又は６に記載の端末装置。
【請求項８】
送信元端末の性能情報又は提供情報の著作権情報の少なくとも１つを含む通知情報を取得する取得手段と、
該取得手段が取得した通知情報を、前記提供情報が送信先端末に提供される前に、前記送信先端末に送信する送信手段と
を備えることを特徴とするメッセージサーバ。
【請求項９】
提供情報の格納先情報、及び、送信元端末の性能情報又は前記提供情報の著作権情報の少なくとも１つを含む通知情報を含むメッセージを生成する生成手段と、
該生成手段が生成したメッセージを、該メッセージを送信先端末に送信するメッセージサーバに送信する送信手段と
を備えることを特徴とするメッセージ制御装置。
【請求項１０】
送信元端末の性能情報又は提供情報に関する著作権情報の少なくとも１つを含む通知情報を取得し、
該取得した通知情報を、前記提供情報が送信先端末に提供される前に、前記送信先端末に送信することを特徴とする通信方法。
【発明の詳細な説明】
【０００１】
【発明の属する技術分野】
本発明は、通信システム、端末装置、メッセージサーバ、メッセージ制御装置及び通信方法に関する。
【０００２】
【従来の技術】
従来、マルチメディア情報は、例えば、次のような手順で送受信されている。メッセージサーバが、マルチメディア情報の格納先を示すＵＲＬ（Ｕｎｉｆｏｒｍ  Ｒｅｓｏｕｒｃｅ  Ｌｏｃａｔｏｒ）アドレスを含むメッセージを送信先端末に送信する。メッセージには、ＵＲＬアドレス以外に、送信者、件名、マルチメディア情報の保存期間、マルチメディア情報の容量が含まれている。そして、送信先端末のユーザは、メッセージに含まれる情報に基づいて、マルチメディア情報の受信を希望すると判断した場合には、ＵＲＬアドレスにアクセスし、マルチメディア情報を受信する。又、ファイル転送システムにおいて、ファイルの優先度に従い、ファイルを優先度順にダウンロードする技術も提案されている（例えば、「特許文献１」参照）。
【０００３】
【特許文献１】
特開２００２−３７３１３６号公報
【０００４】
【発明が解決しようとする課題】
しかしながら、従来は、送信先端末は、送信元端末の性能情報やマルチメディア情報などの提供情報に関する著作権情報について、提供情報を受信する前に把握することができなかった。そのため、送信先端末は、自身よりも高機能な送信元端末が処理したため、受信しても正常に処理できない提供情報や、著作権の制約から自由に利用できない提供情報のような受信する必要性がない提供情報を受信してしまう場合があった。
【０００５】
そこで、本発明は、端末装置の性能情報や提供情報の著作権情報に基づいて、提供情報を受信するか否かを判断できるようにすることを目的とする。
【０００６】
【課題を解決するための手段】
本発明に係る通信システムは、送信元端末の性能情報又は提供情報の著作権情報の少なくとも１つを含む通知情報を取得する取得手段と、取得手段が取得した通知情報を、提供情報が送信先端末に送信される前に、送信先端末に送信する送信手段とを備えることを特徴とする。このような通信システムによれば、取得手段が送信元端末の性能情報や提供情報の著作権情報を含む通知情報を取得する。そして、送信手段が、提供情報が送信先端末に送信される前に、通知情報を送信先端末に送信する。そのため、通信システムは、通知情報を、送信先端末が提供情報を受信する前に、送信先端末に提供できる。よって、送信元端末の性能情報や提供情報の著作権情報に基づいて、提供情報を受信するか否かが判断できる。
【０００７】
送信手段は、送信先端末に、通知情報を含む着信通知を送信することが好ましい。これによれば、送信手段は、着信通知を利用して、提供情報が送信先端末に送信される前に、通知情報を送信先端末に送信できる。又、送信手段は、送信先端末に、提供情報の格納先情報及び通知情報を含むメッセージを送信するようにしてもよい。これによれば、送信手段は、格納先情報の通知を利用して、送信先端末が提供情報の格納先にアクセスすることにより、提供情報が送信先端末に送信される前に、通知情報を送信先端末に送信できる。
【０００８】
更に、通信システムは、取得手段が取得した通知情報に基づいて、格納先情報及び通知情報を含むメッセージを生成する生成手段を備え、送信手段は、生成手段が生成したメッセージを送信するようにしてもよい。これによれば、通信システムにおいて格納先情報及び通知情報を含むメッセージを生成して、送信先端末に格納先情報及び通知情報を提供することができる。
【０００９】
本発明に係る端末装置は、送信元端末の性能情報又は提供情報の著作権情報の少なくとも１つを含む通知情報を、提供情報を受信する前に受信する受信手段と、受信手段が受信した通知情報を出力する出力手段とを備えることを特徴とする。このような端末装置によれば、受信手段が送信元端末の性能情報や提供情報の著作権情報を含む通知情報を、提供情報を受信する前に受信する。そして、出力手段が、受信した通知情報を出力する。そのため、送信先端末となった端末装置のユーザは、提供情報を受信する前に、出力手段に出力された送信元端末の性能情報や提供情報の著作権情報に基づいて、提供情報を受信するか否かを判断できる。
【００１０】
又、端末装置は、通知情報に基づいて、提供情報を受信するか否かを判断する判断手段を備えるようにしてもよい。これによれば、送信先端末となった端末装置が、提供情報を受信する前に、送信元端末の性能情報や提供情報の著作権情報に基づいて、提供情報を受信するか否かを判断できる。更に、端末装置は、端末装置自身の性能情報や提供情報の著作権情報を含む通知情報を含むメッセージを生成する生成手段と、生成手段が生成したメッセージを送信する送信手段とを備えることが好ましい。これによれば、端末装置は、送信元端末となった際に、端末装置自身の性能情報や送信する提供情報の著作権情報を含む通知情報を、送信先端末に提供することができる。
【００１１】
本発明に係るメッセージサーバは、送信元端末の性能情報又は提供情報の著作権情報の少なくとも１つを含む通知情報を取得する取得手段と、取得手段が取得した通知情報を、提供情報が送信先端末に提供される前に、送信先端末に送信する送信手段とを備えることを特徴とする。このようなメッセージサーバによれば、端末の性能情報や提供情報の著作権情報を含む通知情報を、送信先端末が提供情報を受信する前に、送信先端末に提供できる。よって、送信元端末の性能情報や提供情報の著作権情報に基づいて、提供情報を受信するか否かが判断できる。
【００１２】
本発明に係るメッセージ制御装置は、提供情報の格納先情報、及び、送信元端末の性能情報又は提供情報の著作権情報の少なくとも１つを含む通知情報を含むメッセージを生成する生成手段と、生成手段が生成したメッセージを、メッセージを送信先端末に送信するメッセージサーバに送信する送信手段とを備えることを特徴とする。このようなメッセージ制御装置によれば、生成手段が、格納先情報及び通知情報を含むメッセージを生成する。そして、送信手段が、生成したメッセージをメッセージサーバに送信する。そのため、メッセージ制御装置が格納先情報及び通知情報を含むメッセージを生成して、メッセージサーバを介して送信先端末に格納先情報及び通知情報を提供することができる。
【００１３】
本発明に係る通信方法は、送信元端末の性能情報又は提供情報に関する著作権情報の少なくとも１つを含む通知情報を取得し、取得した通知情報を、提供情報が送信先端末に提供される前に、送信先端末に送信することを特徴とする。
【００１４】
【発明の実施の形態】
［第１の実施の形態］
〔通信システム〕
図１に示すように、通信システム１００は、複数の移動端末１０ａ，１０ｂと、無線基地局２０と、メッセージサーバ３０と、ＷＷＷ（Ｗｏｒｌｄ  Ｗｉｄｅ  Ｗｅｂ）サーバ４０と、移動通信網５０とを備える。
【００１５】
移動端末１０ａ，１０ｂは、メッセージを送受信する端末装置である。移動端末１０ａ，１０ｂは、例えば、ｉ−ｍｏｄｅ（登録商標）端末や、ＭＭＳ（Ｍｕｌｔｉｍｅｄｉａ  Ｍｅｓｓａｇｉｎｇ  Ｓｅｒｖｉｃｅ）端末などを用いることができる。移動端末１０ａは、通信部１１と、制御部１２と、記憶部１３と、入力部１４と、出力部１５と、カメラ１６と、カードインタフェース部１７とを備える。移動端末１０ｂも、移動端末１０ａと同様の構成を備える。
【００１６】
通信部１１は、無線基地局２０と無線を介して接続する。そして、通信部１１は、無線基地局２０、移動通信網５０を介して、メッセージサーバ３０やＷＷＷサーバ４０、他の移動端末１０ｂと通信を行う。通信部１１は、制御部１２の制御に従って通信を行う。
【００１７】
通信部１１は、送信元端末の性能情報又は提供情報の著作権情報の少なくとも１つを含む通知情報を、提供情報を受信する前に受信する受信手段として機能する。通信部１１は、通知情報をメッセージサーバ３０から、通知情報を含む着信通知として受信したり、提供情報が格納されている格納先情報及び通知情報を含むメッセージとして受信したりする。又、通信部１１は、提供情報を受信する。通信部１１は、提供情報を、メッセージサーバ３０から提供情報を含むメッセージとして受信したり、ＷＷＷサーバ４０から提供情報が格納されている格納先にアクセスすることにより受信したりする。通信部１１は、受信した着信通知やメッセージ、提供情報を制御部１２に入力する。
【００１８】
又、通信部１１は、制御部１２が生成した移動端末１０ａ自身の性能情報又は提供情報の著作権情報の少なくとも１つを含む通知情報を含むメッセージを、制御部１２から取得する。メッセージには、提供情報も含まれる。そして、通信部１１は、取得したメッセージをメッセージサーバ３０に送信する。このようにして、通信部１１は、制御部１２が生成したメッセージを送信する送信手段としても機能する。
【００１９】
端末装置の性能情報は、端末装置の性能を示す情報であれば限定されない。性能情報には、機種のような端末装置が備える性能を総合的に示す情報と、処理可能なデータ形式や送受信可能な容量のような端末装置が備える性能を個別に示す情報がある。処理可能なデータ形式は、例えば、静止画像、動画像、カラー画像、白黒画像、音声、テキスト、文字種別、表示可能な表示色などを指定することができる。更に、詳細に、ＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）やＭＥＰＧ（Ｍｏｖｉｎｇ  Ｐｉｃｔｕｒｅ  Ｃｏｄｉｎｇ  Ｅｘｐｅｒｔｓ  Ｇｒｏｕｐ）といった符号化方式や圧縮方式、そのバージョンを指定してもよい。送受信可能な容量は、データ量や文字数などを指定することができる。
【００２０】
提供情報の著作権情報は、提供情報の著作権に関する情報を示すものであれば限定されない。著作権情報には、著作権を有する提供情報の有無、著作権による提供情報の利用制限の有無、著作権による利用制限の内容などがある。利用制限の内容には、転送禁止、複製禁止、転送回数の制限、無断改変の禁止などがある。著作権情報は、提供情報毎に付与してもよく、メッセージ毎に付与することにより、メッセージに含まれる全ての提供情報に同一の著作権情報を付与してもよい。又、提供情報の格納先情報は、提供情報の格納先を示すものであれば限定されない。例えば、格納先情報として格納先を示すＵＲＬアドレスを用いることができる。以下、端末装置がＵＲＬアドレスにアクセスし、格納されている提供情報を受信することを「ＵＲＬ閲覧」という。
【００２１】
記憶部１３は、通信部１１が受信した送信元端末の性能情報を記憶する記憶手段である。記憶部１３は、性能情報を、送信元端末のアドレス、電話番号、ユーザ名などと対応付けて記憶する。記憶部１３は、例えば、性能情報やアドレス、電話番号、ユーザ名を、アドレス帳として記憶することができる。又、記憶部１３は、提供情報を受信するか否かを判断する判断基準を記憶する。判断基準は、端末装置の性能情報や提供情報の著作権情報について定められる。性能情報についての判断基準としては、例えば、送信元端末が、移動端末１０ａ自身の機種以下の性能を持つ機種であれば提供情報を受信する、送信元端末が、移動端末１０ａが処理可能なデータ形式を処理可能な端末装置や、移動端末１０ａが受信可能な容量以下の容量が送受信可能な端末装置であれば提供情報を受信するといった基準を定めることができる。著作権情報についての判断基準としては、例えば、著作権を有する提供情報が含まれる場合には受信しない、著作権による提供情報の利用制限がある提供情報が含まれる場合には受信しない、著作権による利用制限の内容が転送禁止の場合には受信しないといった基準を定めることができる。更に、記憶部１３は、移動端末１０ａ自身の性能情報や、受信した提供情報及びその著作権情報を記憶する。
【００２２】
出力部１５は、通信部１１が受信した通知情報を出力する出力手段である。出力部１５は、通知情報を、文字や画像、音声などにより出力する。出力部１５は、例えば、性能情報や著作権情報を示すアイコンを表示することができる。又、出力部１５は、通信部１１が受信した提供情報や格納先情報も出力する。出力部１５は、ディスプレイやスピーカーなどを用いることができる。
【００２３】
入力部１４は、ユーザからの入力内容を取得し、制御部１２に入力する。移動端末１０ａのユーザは、出力部１５に出力された送信元端末の性能情報や提供情報の著作権情報に基づいて、提供情報を受信するか否かを判断する。そして、ユーザは、入力部１４を用いてその判断結果を移動端末１０ａに入力する。又、ユーザは、入力部１４を用いて提供情報、提供情報の著作権情報を入力する。ユーザは、著作権情報を、提供情報毎に付与してもよく、メッセージに複数の提供情報が含まれる場合には、メッセージ毎に付与してもよい。更に、ユーザは、入力部１４を用いてカメラ１６に対する指示を入力する。入力部１４は、入力された判断結果、提供情報、著作権情報、カメラ１６に対する指示を取得し、制御部１２に入力する。入力部１４は、キーやマイクなどを用いることができる。
【００２４】
カメラ１６は撮影手段である。カメラ１６は、ユーザより入力された指示を制御部１２を介して取得し、指示に従って画像を撮影する。カメラ１６は、撮影した画像を提供情報として制御部１２に入力する。カードインタフェース部１７は、カードから提供情報やユーザ情報を取得する。カードインタフェース部１７は、取得した提供情報やユーザ情報を制御部１２に入力する。尚、提供情報に著作権情報が付与されている場合には、カードインタフェース部１７は著作権情報も取得し、制御部１２に入力する。又、カードインタフェース部１７は、提供情報やその著作権情報、ユーザ情報をカードに記録する。カードは、例えば、ＵＩＭ（Ｕｓｅｒ  Ｉｄｅｎｔｉｔｙ  Ｍｏｄｕｌｅ）やメモリカードのようなＩＣ（Ｉｎｔｅｇｒａｔｅｄ  Ｃｉｒｃｕｉｔ）カードなどを用いることができる。
【００２５】
制御部１２は、通信部１１を制御する。まず、制御部１２は、通信部１１から、通知情報を含む着信通知や、格納先情報及び通知情報を含むメッセージを取得する。制御部１２は、着信通知やメッセージに含まれている通知情報を、出力部１５に出力する。そして、制御部１２は、入力部１４からユーザの判断結果を取得する。
【００２６】
制御部１２は、着信通知に含まれる通知情報に基づく判断結果が「受信希望」の場合には、メッセージサーバ３０に対してメッセージの送信を要求する信号「メッセージ受信要求」を生成し、通信部１１に入力する。これにより、通信部１１が制御部１２の制御に従い、メッセージ受信要求をメッセージサーバ３０送信し、提供情報を含むメッセージを受信する。一方、制御部１２は、着信通知に含まれる通知情報に基づく判断結果が「受信拒否」の場合には、メッセージサーバ３０に対して提供情報の受信を拒否する信号「拒否通知」を生成し、通信部１１に入力する。これにより、通信部１１が制御部１２の制御に従い、拒否通知をメッセージサーバ３０に送信する。
【００２７】
又、制御部１２は、格納先情報を含むメッセージに含まれる通知情報に基づく判断結果が「受信希望」の場合には、ＵＲＬ閲覧操作を行う。制御部１２は、ＵＲＬ閲覧操作として、メッセージに含まれるＵＲＬアドレスを出力部１５に出力したり、ウェブブラウザを起動したりする。そして、制御部１２は、ＷＷＷサーバ４０に対して提供情報の送信を要求する信号「ＵＲＬ閲覧要求」を生成し、通信部１１に入力する。ＵＲＬ閲覧要求には、ＵＲＬアドレスが含まれる。これにより、通信部１１が制御部１２の制御に従い、ＵＲＬ閲覧要求をＷＷＷサーバ４０に送信し、提供情報を受信する。一方、制御部１２は、格納先情報を含むメッセージに含まれる通知情報に基づく判断結果が「受信拒否」の場合には、ＷＷＷサーバ４０に対して「拒否通知」を生成し、通信部１１に入力する。拒否通知には、ＵＲＬアドレスが含まれる。これにより、通信部１１が制御部１２の制御に従い、拒否通知をＷＷＷサーバ４０に送信する。
【００２８】
そして、制御部１２は、通信部１１から、通信部１１が受信した提供情報を含むメッセージや提供情報を取得する。制御部１２は、提供情報を出力部１５に出力する。又、制御部１２は、提供情報及びその著作権情報を記憶部１３に格納する。
【００２９】
更に、制御部１２は、通知情報に基づいて、提供情報を受信するか否かを判断する判断手段として機能することもできる。この場合も、まず、制御部１２は、通信部１１から、通知情報を含む着信通知や、格納先情報及び通知情報を含むメッセージを取得する。又、制御部１２は、判断基準を記憶部１３から取得する。制御部１２は、取得した着信通知やメッセージに含まれている通知情報と判断基準とを照らし合わせることにより、判断する。制御部１２は、判断結果に基づいて、入力部１４からユーザの判断結果を取得した場合と同様にして、メッセージ受信要求やＵＲＬ閲覧要求、拒否通知を生成して通信部１１に入力したり、ＵＲＬ閲覧操作を行ったり、提供情報を出力部１５に出力したりする。
【００３０】
このように、移動端末１０ａは、通知情報に基づいて提供情報を受信するか否かを判断する制御部１２を備える。そのため、移動端末１０ａは送信先端末となった場合に、提供情報を受信する前に、送信元端末の性能情報や提供情報の著作権情報に基づいて、提供情報を受信するか否かを判断できる。尚、制御部１２が判断を行う場合、制御部１２は、通知情報を出力部１５に出力したり、入力部１４から判断結果を取得したりする必要はない。もちろん、制御部１２は、通知情報を出力部１５に出力したり、入力部１４から判断結果を取得したりしてもよい。例えば、制御部１２は、入力部１４からも判断結果を取得した場合には、取得したユーザによる判断結果を優先するようにしてもよい。
【００３１】
又、制御部１２は、通信部１１が受信した送信元端末の性能情報を、記憶部１３に登録する。制御部１２は、性能情報を、送信元端末のアドレス、電話番号、ユーザ名などと対応付けて、記憶部１３に登録する。
【００３２】
更に、制御部１２は、端末装置自身の性能情報又は提供情報の著作権情報の少なくとも１つを含む通知情報を含むメッセージを生成する生成手段としても機能する。制御部１２は、入力部１４やカメラ１６、カードインタフェース部１７から提供情報を取得する。又、制御部１２は、入力部１４やカードインタフェース部１７から提供情報の著作権情報を取得する。更に、制御部１２は、記憶部１３から移動端末１０ａ自身の性能情報を取得する。
【００３３】
制御部１２は、取得した提供情報に、移動端末１０ａ自身の性能情報や提供情報の著作権情報を通知情報として付加し、メッセージを生成する。このとき、制御部１２は、著作権情報を、提供情報毎に付加してもよく、メッセージに複数の提供情報が含まれる場合には、メッセージ毎に付加してもよい。制御部１２は、例えば、メッセージのヘッダやユーザデータ部、ユーザエージェントプロフィール（Ｕｓｅｒ  Ａｇｅｎｔ  Ｐｒｏｆｉｌｅ）に、通知情報を設定することにより、提供情報やＵＲＬアドレスに通知情報を付加することができる。
【００３４】
更に、制御部１２は、送信先端末の性能情報に基づいてメッセージを生成してもよい。この場合、制御部１２は、記憶部１３から送信先端末の性能情報を取得する。制御部１２は、送信先端末の性能に合致する提供情報を選択したり、送信先端末の性能に合致するように提供情報を変換したりした後、その提供情報に通知情報を付加する。このように、制御部１２は、記憶部１３に性能情報を登録しておくことにより、記憶部１３に登録した性能情報を、メッセージを返信したり、新たに送信したりする際の参考情報として利用することができる。
【００３５】
メッセージサーバ３０は、例えば、ｉ−ｍｏｄｅ（登録商標）サーバや、ＭＭＳリレー／サーバなどを用いることができる。メッセージサーバ３０は、端末インタフェース部３１と、サーバインタフェース部３２と、制御部３３と、メッセージ保持部３４と、端末情報データベース３５とを備える。
【００３６】
端末インタフェース部３１は、移動通信網５０、無線基地局２０を介して、移動端末１０ａ，１０ｂと通信を行う。端末インタフェース部３１は、制御部３３の制御に従って通信を行う。以下、移動端末１０ａが送信先端末となり、移動端末１０ｂが送信元端末となる場合を例にとって説明する。
【００３７】
端末インタフェース部３１は、送信元端末の性能情報又は提供情報の著作権情報の少なくとも１つを含む通知情報を取得する取得手段として機能する。端末インタフェース部３１は、移動端末１０ｂが送信した通知情報を含むメッセージを受信することにより、通知情報を取得する。端末インタフェース部３１は、受信したメッセージを制御部３３に入力する。
【００３８】
端末インタフェース部３１は、取得した通知情報を、提供情報が送信先端末に送信される前に、送信先端末に送信する送信手段としても機能する。端末インタフェース部３１は、通知情報を含む着信通知を制御部３３から取得する。そして、端末インタフェース部３１は、取得した通知情報を含む着信通知を移動端末１０ａに送信する。着信通知は、提供情報を含むメッセージを移動端末１０ａに送信する前に送信するものである。そのため、端末インタフェース部３１は、着信通知を利用して、提供情報が送信先端末に送信される前に、通知情報を送信先端末に送信できる。
【００３９】
又、端末インタフェース部３１は、制御部３３が生成した提供情報の格納先情報及び通知情報を含むメッセージを、制御部３３から取得する。そして、端末インタフェース部３１は、取得した格納先情報及び通知情報を含むメッセージを移動端末１０ａに送信する。移動端末１０ａは、格納先情報を含むメッセージを受信した後、受信した格納先情報に基づいて提供情報の格納先にアクセスし、提供情報を受信する。そのため、端末インタフェース部３１は、格納先情報の通知を利用して、送信先端末が提供情報の格納先にアクセスすることにより、提供情報が送信先端末に送信される前に、通知情報を送信先端末に送信できる。又、端末インタフェース部３１は、移動端末１０ａから、メッセージ受信要求や拒否通知を受信し、制御部３３に入力する。
【００４０】
サーバインタフェース部３２は、移動通信網５０を介してＷＷＷサーバ４０と通信を行う。サーバインタフェース部３２は、制御部３３の制御に従って通信を行う。サーバインタフェース部３２は、制御部３３から、メッセージに含まれていた提供情報と、その格納先情報を取得する。そして、サーバインタフェース部３２は、提供情報をＷＷＷサーバ４０に送信し、格納先情報に含まれる格納先に提供情報を格納する。
【００４１】
メッセージ保持部３４は、メッセージを保持する。端末情報データベース３５は、端末情報を記憶する記憶手段である。端末情報データベース３５は、移動端末１０ａ，１０ｂのアドレス、電話番号、性能情報を対応付けて記憶する。
【００４２】
制御部３３は、端末インタフェース部３１とサーバインタフェース部３２を制御する。制御部３３は、端末インタフェース部３１から、移動端末１０ｂが送信した通知情報を含むメッセージを取得する。
【００４３】
着信通知により通知情報を送信する場合、制御部３３は、取得したメッセージをメッセージ保持部３４に格納する。制御部３３は、メッセージから通知情報を取得する。制御部３３は、取得した通知情報を含む着信通知を生成し、端末インタフェース部３１に入力する。制御部３３は、着信通知のユーザデータ部やヘッダに通知情報を設定することにより、通知情報を含む着信通知を生成する。例えば、ＳＭＳ（Ｓｈｏｒｔ  Ｍｅｓｓａｇｅ  Ｓｅｒｖｉｃｅ）では、着信通知として、通知情報を含むショートメッセージ（ＳＭＳ−ＭＴ）を用いることができる。これにより、端末インタフェース部３１が制御部３３の制御に従い、通知情報を含む着信通知を移動端末１０ａに送信する。
【００４４】
その後、制御部３３は、端末インタフェース部３１から、移動端末１０ａが送信したメッセージ受信要求を取得すると、メッセージ保持部３４から提供情報を含むメッセージを取得して、端末インタフェース部３１に入力する。これにより、端末インタフェース部３１が制御部３３の制御に従い、提供情報を含むメッセージを移動端末１０ａに送信する。制御部３３は、端末インタフェース部３１から、移動端末１０ａが送信した拒否通知を取得すると、メッセージ保持部３４から提供情報を含むメッセージを取得し、破棄する。
【００４５】
又、メッセージにより通知情報を送信する場合、制御部３３は、取得したメッセージから提供情報を取得する。制御部３３は、取得した提供情報と、その格納先情報を、サーバインタフェース部３２に入力して、提供情報のＷＷＷサーバ４０への格納をサーバインタフェース部３２に指示する。更に、制御部３３は、移動端末１０ｂが送信したメッセージの提供情報を、格納先情報に置換して、格納先情報及び通知情報を含むメッセージを生成する。制御部３３は、生成した格納先情報及び通知情報を含むメッセージを、メッセージ保持部３４に格納する。このように、制御部３３は、取得した通知情報に基づいて、格納先情報及び通知情報を含むメッセージを生成する生成手段として機能する。
【００４６】
そして、制御部３３は、通常の着信通知を生成し、端末インタフェース部３１に入力する。これにより、端末インタフェース部３１が制御部３３の制御に従い、通常の着信通知を移動端末１０ａに送信する。その後、制御部３３は、端末インタフェース部３１から、移動端末１０ａが送信したメッセージ受信要求を取得すると、メッセージ保持部３４から格納先情報及び通知情報を含むメッセージを取得して、端末インタフェース部３１に入力する。これにより、端末インタフェース部３１が制御部３３の制御に従い、格納先情報及び通知情報を含むメッセージを移動端末１０ａに送信する。
【００４７】
尚、制御部３３は、着信通知又はメッセージのいずれにより通知情報を送信するかは、予め設定しておき、その設定に従ったり、移動端末１０ａ，１０ｂからの要求を受け、その要求に従ったり、選択条件を設定しておき、その選択条件に基づいて選択したりできる。又、制御部３３は、移動端末１０ｂから受信したメッセージに通知情報が含まれていない場合には、通知情報がないことを示すデータを含む着信通知を生成したり、格納先情報を含むメッセージに、通知情報がないことを示すデータを付加したりしてもよい。
【００４８】
更に、制御部３３は、通知情報を含むメッセージを取得した際に、端末情報を端末情報データベース３５に登録するようにしてもよい。制御部３３は、メッセージに含まれる送信元端末のアドレスや電話番号、性能情報を対応付けて端末情報データベース３５に登録する。これにより、制御部３３は、移動端末１０ｂから受信したメッセージに通知情報が含まれていない場合に、移動端末１０ｂのアドレスや電話番号に基づいて、端末情報データベース３５から性能情報を取得できる。そのため、制御部３３は、取得した性能情報を用いて着信通知を生成したり、格納先情報を含むメッセージに取得した性能情報を付加したりしてもよい。この場合、制御部３３が、送信元端末の通知情報を取得する取得手段として機能する。
【００４９】
ＷＷＷサーバ４０は、提供情報を保持し、提供情報を移動端末１０ａに送信する。ＷＷＷサーバ４０は、移動通信網５０、無線基地局２０を介して、移動端末１０ａ，１０ｂと通信を行い、移動通信網５０を介してメッセージサーバ３０と通信を行う。ＷＷＷサーバ４０は、メッセージサーバ３０から提供情報及び格納先情報を受信する。ＷＷＷサーバ４０は、受信した格納先情報に含まれるＵＲＬアドレスのような格納先に、受信した提供情報を格納して、提供情報を保持する。ＷＷＷサーバ４０は、移動端末１０ａからＵＲＬ閲覧要求を受信することにより、移動端末１０ａのアクセスを受ける。ＷＷＷサーバ４０は、ＵＲＬ閲覧要求に含まれるＵＲＬアドレスに格納している提供情報を、移動端末１０ａに送信する。又、ＷＷＷサーバ４０は、移動端末１０ａから拒否通知を受信する。ＷＷＷサーバ４０は、拒否通知を受信すると、拒否通知に含まれるＵＲＬアドレスに格納している提供情報を破棄する。
【００５０】
〔通信方法〕
図２を用いて、メッセージサーバ３０が着信通知により通知情報を送信する場合の通信方法について説明する。図２でも、移動端末１０ａが送信先端末であり、移動端末１０ｂが送信元端末である。まず、移動端末１０ｂが、メッセージサーバ３０に、移動端末１０ａへのメッセージの送信を要求する送信要求を送信する。送信要求には、提供情報及び通知情報を含むメッセージが含まれる（Ｓ１０１）。メッセージサーバ３０は、メッセージ保持部３４に移動端末１０ａへのメッセージを格納する（Ｓ１０２）。メッセージサーバ３０は、移動端末１０ｂに、送信要求を受信したことを通知する送信応答を送信する（Ｓ１０３）。
【００５１】
メッセージサーバ３０は、移動端末１０ａへのメッセージから通知情報を取得し、取得した通知情報を含む着信通知を移動端末１０ａに送信する（Ｓ１０４）。移動端末１０ａは、受信した着信通知に含まれる通知情報を出力部１５に出力する（Ｓ１０５）。更に、移動端末１０ａは、通知情報に含まれる性能情報を、記憶部１３に登録する（Ｓ１０６）。
【００５２】
移動端末１０ａのユーザが、出力部１５に出力された送信元端末の性能情報や提供情報の著作権情報に基づいて、提供情報を受信するか否かを判断する。この場合、移動端末１０ａは、その判断結果の入力をユーザから受けて、判断結果を取得する。あるいは、移動端末１０ａの制御部１２が、取得した送信元端末の性能情報や提供情報の著作権情報に基づいて、提供情報を受信するか否かを判断する（Ｓ１０７）。
【００５３】
ステップ（Ｓ１０７）において、判断結果が「受信拒否」の場合には、移動端末１０ａは、メッセージサーバ３０に拒否通知を送信する（Ｓ１０８）。そして、メッセージサーバ３０は、メッセージ保持部３４に格納しているメッセージを破棄する（Ｓ１０９）。一方、ステップ（Ｓ１０７）において、判断結果が「受信希望」の場合には、移動端末１０ａは、メッセージサーバ３０にメッセージ受信要求を送信する（Ｓ１１０）。そして、メッセージサーバ３０は、提供情報を含むメッセージを移動端末１０ａに送信する（Ｓ１１１）。
【００５４】
次に、図３を用いて、メッセージサーバ３０がメッセージにより通知情報を送信する場合の通信方法について説明する。図３でも、移動端末１０ａが送信先端末であり、移動端末１０ｂが送信元端末である。まず、移動端末１０ｂが、メッセージサーバ３０に、提供情報及び通知情報を含むメッセージを含む送信要求を送信する（Ｓ２０１）。メッセージサーバ３０は、メッセージに含まれる提供情報と、その格納先情報としてＵＲＬアドレスを、ＷＷＷサーバ４０に送信する（Ｓ２０２）。ＷＷＷサーバ４０は、受信したＵＲＬアドレスに受信した提供情報を格納する（Ｓ２０３）。更に、メッセージサーバ３０は、移動端末１０ｂが送信したメッセージの提供情報をＵＲＬアドレスに置換して、ＵＲＬアドレス及び通知情報を含むメッセージを生成する。メッセージサーバ３０は、生成したメッセージをメッセージ保持部３４に格納する（Ｓ２０４）。そして、メッセージサーバ３０は、移動端末１０ｂに送信応答を送信する（Ｓ２０５）。
【００５５】
メッセージサーバ３０は、着信通知を移動端末１０ａに送信する（Ｓ２０６）。移動端末１０ａは、メッセージサーバ３０にメッセージ受信要求を送信する（Ｓ２０７）。メッセージサーバ３０は、移動端末１０ａに、ＵＲＬアドレス及び通知情報を含むメッセージを送信する（Ｓ２０８）。移動端末１０ａは、受信したメッセージに含まれる通知情報を出力部１５に出力する（Ｓ２０９）。更に、移動端末１０ａは、通知情報に含まれる性能情報を、記憶部１３に登録する（Ｓ２１０）。
【００５６】
移動端末１０ａのユーザが、出力部１５に出力された送信元端末の性能情報や提供情報の著作権情報に基づいて、提供情報を受信するか否かを判断する。この場合、移動端末１０ａは、その判断結果の入力をユーザから受けて、判断結果を取得する。あるいは、移動端末１０ａの制御部１２が、取得した送信元端末の性能情報や提供情報の著作権情報に基づいて、提供情報を受信するか否かを判断する（Ｓ２１１）。
【００５７】
ステップ（Ｓ２１１）において、判断結果が「受信拒否」の場合には、移動端末１０ａは、ＷＷＷサーバ４０に拒否通知を送信する（Ｓ２１２）。そして、ＷＷＷサーバ４０は、格納しているメッセージを破棄する（Ｓ２１３）。一方、ステップ（Ｓ２１１）において、判断結果が「受信希望」の場合には、移動端末１０ａは、ＵＲＬ閲覧操作を行う（Ｓ２１４）。そして、移動端末１０ａは、ＷＷＷサーバ４０にＵＲＬ閲覧要求を送信する（Ｓ２１５）。ＷＷＷサーバ４０は、ＵＲＬ閲覧要求に含まれるＵＲＬアドレスに格納している提供情報を、移動端末１０ａに送信する（Ｓ２１６）。尚、ステップ（Ｓ１０５）、（Ｓ２１１）において、移動端末１０ａの制御部１２が提供情報を受信するか否かを判断する場合には、ステップ（Ｓ１０５）、（Ｓ２１１）を省略してもよい。
【００５８】
〔効果〕
このような通信システム１００、メッセージサーバ３０及び通信方法によれば、端末インタフェース部３１や制御部３３が送信元端末の性能情報や提供情報の著作権情報を含む通知情報を取得する。そして、端末インタフェース部３１が、提供情報が送信先端末に送信される前に、通知情報を送信先端末に送信する。そのため、通信システム１００、メッセージサーバ３０は、通知情報を、送信先端末が提供情報を受信する前に、送信先端末に提供できる。よって、送信先端末となった移動端末１０ａ，１０ｂやそのユーザは、一律に全ての提供情報を受信するのではなく、送信元端末の性能情報や提供情報の著作権情報に基づいて、提供情報を受信するか否かを判断できる。即ち、このように通信システム、メッセージサーバ３０及び通信方法によれば、提供情報を受信するか否かの判断材料を豊富に提供することができ、移動端末１０ａ，１０ｂやそのユーザに、判断の余地を従来以上に与えることができる。
【００５９】
更に、制御部３３が、端末インタフェース部３１や制御部３３が取得した通知情報に基づいて、格納先情報及び通知情報を含むメッセージを生成し、端末インタフェース部３１が、生成したメッセージを送信することができる。そのため、通信システム１００、メッセージサーバ３０において格納先情報及び通知情報を含むメッセージを生成して、送信先端末となった移動端末１０ａ，１０ｂに格納先情報及び通知情報を提供することができる。
【００６０】
又、移動端末１０ａ，１０ｂによれば、通信部１１が送信元端末の性能情報や提供情報の著作権情報を含む通知情報を、提供情報を受信する前に受信する。そして、出力部１５が、受信した通知情報を出力する。そのため、送信先端末となった移動端末１０ａ，１０ｂのユーザは、提供情報を受信する前に、出力部１５に出力された送信元端末の性能情報や提供情報の著作権情報に基づいて、提供情報を受信するか否かを判断できる。
【００６１】
更に、移動端末１０ａ，１０ｂの制御部１２が、移動端末１０ａ，１０ｂ自身の性能情報や提供情報の著作権情報を含む通知情報を含むメッセージを生成し、通信部１１が、生成したメッセージを送信する。そのため、移動端末１０ａ，１０ｂは、送信元端末となった際に、移動端末１０ａ，１０ｂ自身の性能情報や送信する提供情報の著作権情報を含む通知情報を、送信先端末に提供することができる。
【００６２】
［第２の実施の形態］
〔通信システム〕
図４に示すように、通信システム２００は、第１メッセージングシステム２００ａと、メッセージ制御装置２４０と、第２メッセージングシステム２００ｂとを備える。通信システム２００は、異なる複数のシステム、第１メッセージングシステム２００ａと第２メッセージングシステム２００ｂとを、メッセージ制御装置２４０を介して接続した構成となっている。
【００６３】
第１メッセージングシステム２００ａは、例えば、ｉ−ｍｏｄｅ（登録商標）システムを用いることができる。第１メッセージングシステム２００ａは、移動端末２１０ａと、無線基地局２２０ａと、移動通信網２５０ａと、メッセージサーバ２３０ａとを備える。移動端末２１０ａは、例えば、ｉ−ｍｏｄｅ（登録商標）端末を用いることができる。メッセージサーバ２３１ａは、例えば、ｉ−ｍｏｄｅ（登録商標）サーバを用いることができる。第２メッセージングシステム２００ｂは、マルチメディアメッセージングサービスを行う。そのため、第２メッセージングシステム２００ｂは、ＭＭＳ端末２１０ｂと、無線基地局２２０ｂと、移動通信網２５０ｂと、ＭＭＳリレー／サーバ２３０ｂとを備える。ＭＭＳ端末２１０ｂは、メッセージを送受信する端末装置である。ＭＭＳリレー／サーバ２３０ｂは、メッセージを送信先端末に送信するメッセージサーバである。
【００６４】
無線基地局２２０ａ，２２０ｂ、移動通信網２５０ａ，２５０ｂは、図１に示した無線基地局２０、移動通信網５０と同様である。移動端末２１０ａの通信部、ＭＭＳ端末２１０ｂの通信部はそれぞれ、ＵＲＬ閲覧要求や拒否通知を、メッセージサーバ２３０ａ、ＭＭＳリレー／サーバ２３０ｂを介してメッセージ制御装置２４０に送信し、メッセージ制御装置２４０からの提供情報を、メッセージサーバ２３０ａ、ＭＭＳリレー／サーバ２３０ｂを介して受信する。これらの点以外は、移動端末２１０ａ、ＭＭＳ端末２１０ｂは、図１に示した移動端末１０ａと同様である。
【００６５】
メッセージサーバ２３１ａ、ＭＭＳリレー／サーバ２３０ｂはそれぞれ、端末インタフェース部２３１ａ，２３１ｂと、制御装置インタフェース部２３２ａ，２３２ａと、制御部２３３ａ，２３３ｂと、メッセージ保持部２３４ａ，２３４ｂとを備える。メッセージ保持部２３４ａ，２３４ｂは、図１に示したメッセージ保持部３４と同様である。
【００６６】
端末インタフェース部２３１ａは、移動端末２１０ａと通信を行う。端末インタフェース部２３１ｂは、ＭＭＳ端末２１０ｂと通信を行う。端末インタフェース部２３１ａ，２３１ｂはそれぞれ、移動端末２１０ａ、ＭＭＳ端末２１０ｂからＵＲＬ閲覧要求や拒否通知を受信し、制御部２３３ａ，２３３ｂに入力する。又、端末インタフェース部２３１ａ，２３１ｂはそれぞれ、制御部２３３ａ，２３３ｂから、メッセージ制御装置２４０からの提供情報を取得し、移動端末２１０ａ、ＭＭＳ端末２１０ｂに送信する。これらの点以外は、端末インタフェース部２３１ａ，２３１ｂは、図１に示した端末インタフェース部３１と同様である。
【００６７】
制御装置インタフェース部２３２ａ，２３２ｂは、メッセージ制御装置２４０と通信を行う。制御装置インタフェース部２３２ａ，２３２ｂはそれぞれ、制御部２３３ａ，２３３ｂの制御に従って通信を行う。制御装置インタフェース部２３２ａは、制御部２３３ａから、移動端末２１０ａからＭＭＳ端末２１０ｂへのメッセージを取得する。制御装置インタフェース部２３２ｂは、制御部２３３ｂから、ＭＭＳ端末２１０ｂから移動端末２１０ａへのメッセージを取得する。更に、制御装置インタフェース部２３２ａ，２３２ｂはそれぞれ、制御部２３３ａ，２３３ｂから、移動端末２１０ａ、ＭＭＳ端末２１０ｂからのＵＲＬ閲覧要求、拒否通知を取得する。制御装置インタフェース部２３２ａ，２３２ｂは、取得したメッセージ、ＵＲＬ閲覧要求、拒否通知をメッセージ制御装置２４０に送信する。
【００６８】
又、制御装置インタフェース部２３２ａは、メッセージ制御装置２４０から、ＭＭＳ端末２１０ｂから移動端末２１０ａへの提供情報及び通知情報を含むメッセージや、メッセージ制御装置２４０が生成した提供情報の格納先情報及び通知情報を含むＭＭＳ端末２１０ｂから移動端末２１０ａへのメッセージを受信する。制御装置インタフェース部２３２ａは、メッセージ制御装置２４０から移動端末２１０ａへの提供情報を受信する。
【００６９】
制御装置インタフェース部２３２ｂは、メッセージ制御装置２４０から、移動端末２１０ａからＭＭＳ端末２１０ｂへの提供情報及び通知情報を含むメッセージや、メッセージ制御装置２４０が生成した提供情報の格納先情報及び通知情報を含む移動端末２１０ａからＭＭＳ端末２１０ｂへのメッセージを受信する。制御装置インタフェース部２３２ｂは、メッセージ制御装置２４０からＭＭＳ端末２１０ｂへの提供情報を受信する。制御装置インタフェース部２３２ａ，２３２ｂはそれぞれ、受信したメッセージや提供情報を、制御部２３３ａ，２３３ｂに入力する。
【００７０】
制御部２３３ａ，２３３ｂはそれぞれ、端末インタフェース部２３１ａ，２３１ｂと、制御装置インタフェース部２３２ａ，２３２ｂを制御する。制御部２３３ａは、端末インタフェース部２３１ａから、移動端末２１０ａからＭＭＳ端末２１０ｂへの提供情報及び通知情報を含むメッセージを取得する。制御部２３３ａは、取得したメッセージを制御装置インタフェース部２３２ａに入力し、メッセージ制御装置２４０に送信するよう指示をする。制御部２３３ａは、制御装置インタフェース部２３２ａから、ＭＭＳ端末２１０ｂから移動端末２１０ａへの提供情報及び通知情報を含むメッセージや、メッセージ制御装置２４０が生成した格納先情報及び通知情報を含むＭＭＳ端末２１０ｂから移動端末２１０ａへのメッセージを取得する。
【００７１】
制御部２３３ｂは、端末インタフェース部２３１ｂから、ＭＭＳ端末２１０ｂから移動端末２１０ａへの提供情報及び通知情報を含むメッセージを取得する。制御部２３３ｂは、取得したメッセージを制御装置インタフェース部２３２ｂに入力し、メッセージ制御装置２４０に送信するよう指示をする。制御部２３３ｂは、制御装置インタフェース部２３２ｂから、移動端末２１０ａからＭＭＳ端末２１０ｂへの提供情報及び通知情報を含むメッセージや、メッセージ制御装置２４０が生成した格納先情報及び通知情報を含む移動端末２１０ａからＭＭＳ端末２１０ｂへのメッセージを取得する。制御部２３３ａ，２３３ｂはそれぞれ、取得したメッセージをメッセージ保持部２３４ａ，２３４ｂに格納する。
【００７２】
着信通知により通知情報を送信する場合は、制御部２３３ａ，２３３ｂは、図１に示した制御部３３と同様の処理を行う。メッセージにより通知情報を送信する場合、制御部２３３ａ，２３３ｂはそれぞれ、通常の着信通知を生成し、端末インタフェース部２３１ａ，２３１ｂに入力する。これにより、端末インタフェース部２３１ａ，２３１ｂがそれぞれ、制御部２３３ａ，２３３ｂの制御に従い、通常の着信通知を移動端末２１０ａ、ＭＭＳ端末２１０ｂに送信する。その後、制御部２３３ａ，２３３ｂはそれぞれ、端末インタフェース部２３１ａ，２３１ｂから、移動端末２１０ａ、ＭＭＳ端末２１０ｂが送信したメッセージ受信要求を取得すると、メッセージ保持部２３４ａ，２３４ｂから格納先情報及び通知情報を含むメッセージを取得して、端末インタフェース部２３１ａ，２３１ｂに入力する。これにより、端末インタフェース部２３１ａ，２３１ｂが制御部２３３ａ，２３３ｂの制御に従い、メッセージ制御装置２４０が生成した格納先情報及び通知情報を含むメッセージを、移動端末２１０ａ、２１０ｂにそれぞれ送信する。
【００７３】
メッセージ制御装置２４０は、異なる複数のシステム、第１メッセージングシステム２００ａと第２メッセージングシステム２００ｂとの間のメッセージの送受信を中継する。メッセージ制御装置２４０は、メッセージサーバインタフェース部２４１と、ＭＭＳリレー／サーバインタフェース部２４２と、制御部２４３と、端末情報データベース２４４と、ＷＷＷサーバ部２４５とを備える。端末情報データベース２４４は、図１に示した端末情報データベース３５と同様である。
【００７４】
メッセージサーバインタフェース部２４１は、メッセージサーバ２３０ａとのインタフェースである。メッセージサーバインタフェース部２４１は、制御部２４３の制御に従って、メッセージサーバ２３０ａと通信を行う。メッセージサーバインタフェース部２４１は、メッセージサーバ２３０ａから、移動端末２１０ａからＭＭＳ端末２１０ｂへの提供情報及び通知情報を含むメッセージ、移動端末２１０ａからのＵＲＬ閲覧要求や拒否通知を受信し、制御部２４３に入力する。又、メッセージサーバインタフェース部２４１は、制御部２４３から、ＭＭＳ端末２１０ｂから移動端末２１０ａへの提供情報及び通知情報を含むメッセージや、制御部２４３が生成した格納先情報及び通知情報を含むＭＭＳ端末２１０ｂから移動端末２１０ａへのメッセージ、制御部２４３がＷＷＷサーバ部２４５から取得した移動端末２１０ａへの提供情報を取得し、メッセージサーバ２３０ａに送信する。
【００７５】
ＭＭＳリレー／サーバインタフェース部２４２は、ＭＭＳリレー／サーバ２３０ｂとのインタフェースである。ＭＭＳリレー／サーバインタフェース部２４２は、制御部２４３の制御に従って、ＭＭＳリレー／サーバ２３０ｂと通信を行う。ＭＭＳリレー／サーバインタフェース部２４２は、ＭＭＳリレー／サーバ２３０ｂから、ＭＭＳ端末２１０ｂから移動端末２１０ａへの提供情報及び通知情報を含むメッセージ、ＭＭＳ端末２１０ｂからのＵＲＬ閲覧要求や拒否通知を受信し、制御部２４３に入力する。又、ＭＭＳリレー／サーバインタフェース部２４２は、制御部２４３から、移動端末２１０ａからＭＭＳ端末２１０ｂへの提供情報及び通知情報を含むメッセージや、制御部２４３が生成した格納先情報及び通知情報を含む移動端末２１０ａからＭＭＳ端末２１０ｂへのメッセージ、制御部２４３がＷＷＷサーバ部２４５から取得したＭＭＳ端末２１０ｂへの提供情報を取得し、ＭＭＳリレー／サーバ２３０ｂに送信する。
【００７６】
このようにして、メッセージサーバインタフェース部２４１、ＭＭＳリレー／サーバインタフェース部２４２はそれぞれ、制御部２４３が生成したメッセージを、メッセージを送信先端末に送信するメッセージサーバ２３０ａやＭＭＳリレー／サーバ２３０ｂに送信する送信手段として機能する。
【００７７】
ＷＷＷサーバ部２４５は、提供情報を保持する。ＷＷＷサーバ部２４５は、ＵＲＬアドレスのような格納先に対応付けて、提供情報を保持する。ＷＷＷサーバ部２４５には、制御部２４３により、移動端末２１０ａやＭＭＳ端末２１０ｂからのメッセージに含まれる提供情報が格納される。又、ＷＷＷサーバ部２４５が保持する提供情報は、制御部２４３により破棄される。
【００７８】
制御部２４３は、メッセージサーバインタフェース部２４１、ＭＭＳリレー／サーバインタフェース部２４２を制御する。制御部２４３は、移動端末２１０ａやＭＭＳ端末２１０ｂから送信された提供情報及び通知情報を含むメッセージをＭＭＳ端末２１０ｂや移動端末２１０ａに送信する場合には、メッセージサーバインタフェース部２４１から取得した移動端末２１０ａからＭＭＳ端末２１０ｂへのメッセージを、第２メッセージングシステム２００ｂにおけるメッセージ形式に変換してＭＭＳリレー／サーバインタフェース部２４２に入力し、ＭＭＳリレー／サーバ２３０ｂに送信するよう指示する。又、ＭＭＳリレー／サーバインタフェース部２４２から取得したＭＭＳ端末２１０ｂから移動端末２１０ａへのメッセージを、第１メッセージングシステム２００ａにおけるメッセージ形式に変換してメッセージサーバインタフェース部２４１に入力し、メッセージサーバ２３０ａに送信するよう指示する。
【００７９】
一方、制御部２４３は、移動端末２１０ａやＭＭＳ端末２１０ｂから送信されたメッセージに基づいて、提供情報の格納先情報及び通知情報を含むメッセージを生成し、生成したメッセージをＭＭＳ端末２１０ｂや移動端末２１０ａに送信する場合には、メッセージサーバインタフェース部２４１やＭＭＳリレー／サーバインタフェース部２４２から取得したメッセージに含まれる提供情報を、ＷＷＷサーバ部２４５に格納する。制御部２４３は、ＵＲＬアドレスのような格納先に、提供情報を格納する。
【００８０】
制御部２４３は、移動端末２１０ａやＭＭＳ端末２１０ｂが送信したメッセージの提供情報を、格納先情報に置換して、格納先情報及び通知情報を含むメッセージを生成する。制御部２４３は、生成した格納先情報及び通知情報を含む移動端末２１０ａからＭＭＳ端末２１０ｂへのメッセージを、第２メッセージングシステム２００ｂにおけるメッセージ形式に変換してＭＭＳリレー／サーバインタフェース部２４２に入力し、ＭＭＳリレー／サーバ２３０ｂに送信するよう指示する。制御部２４３は、生成した格納先情報及び通知情報を含むＭＭＳ端末２１０ｂから移動端末２１０ａへのメッセージを、第１メッセージングシステム２００ａにおけるメッセージ形式に変換してメッセージサーバインタフェース部２４１に入力し、メッセージサーバ２３０ａに送信するよう指示する。
【００８１】
このように、制御部２４３は、端末インタフェース部２３１ａ，２３１ｂが取得した通知情報に基づいて、格納先情報及び通知情報を含むメッセージを生成する生成手段として機能する。又、メッセージサーバインタフェース部２４１と、ＭＭＳリレー／サーバインタフェース部２４２と、制御部２４３により、メッセージサーバ２３０ａとＭＭＳリレー／サーバ２３０ｂとの間のメッセージの送受信を中継する。
【００８２】
尚、制御部２４３は、移動端末２１０ａやＭＭＳ端末２１０ｂから送信されたメッセージをそのまま送信するか、提供情報の格納先情報及び通知情報を含むメッセージを生成して、生成したメッセージを送信するかは、予め設定しておき、その設定に従ったり、移動端末２１０ａやＭＭＳ端末２１０ｂからの要求を受け、その要求に従ったり、選択条件を設定しておき、その選択条件に基づいて選択したりできる。又、制御部２４３は、図１に示した制御部３３と同様に、移動端末２１０ａやＭＭＳ端末２１０ｂから受信したメッセージに通知情報が含まれていない場合の処理や、端末情報の端末情報データベース２４４への登録を行うことができる。
【００８３】
更に、制御部２４３は、メッセージサーバインタフェース部２４１、ＭＭＳリレー／サーバインタフェース部２４２からそれぞれ、移動端末２１０ａ、ＭＭＳ端末２１０ｂからのＵＲＬ閲覧要求や拒否通知を取得する。メッセージ制御装置２４０は、移動端末２１０ａ、ＭＭＳ端末２１０ｂからのＵＲＬ閲覧要求を受信することにより、移動端末２１０ａ、ＭＭＳ端末２１０ｂのアクセスを受ける。制御部２４３は、ＵＲＬ閲覧要求に含まれるＵＲＬアドレスに格納している提供情報を、ＷＷＷサーバ部２４５から取得する。制御部２４３は、メッセージサーバインタフェース部２４１、ＭＭＳリレー／サーバインタフェース部２４２それぞれに、取得した提供情報を入力し、移動端末２１０ａ、ＭＭＳ端末２１０ｂに送信するよう指示する。制御部２４３は、拒否通知を取得すると、ＷＷＷサーバ部２４５の拒否通知に含まれるＵＲＬアドレスに格納されている提供情報を取得し、破棄する。
【００８４】
〔通信方法〕
図５を用いて、メッセージサーバ２３０ａが着信通知により通知情報を送信する場合の通信方法について説明する。図５では、移動端末２１０ａが送信先端末であり、ＭＭＳ端末２１０ｂが送信元端末である。まず、ＭＭＳ端末２１０ｂが、ＭＭＳリレー／サーバ２３０ｂに、移動端末２１０ａへのメッセージの送信を要求する送信要求を送信する。送信要求には、提供情報及び通知情報を含むメッセージが含まれる（Ｓ３０１）。ＭＭＳリレー／サーバ２３０ｂは、メッセージ保持部２３４ｂに移動端末２１０ａへのメッセージを格納する（Ｓ３０２）。ＭＭＳリレー／サーバ２３０ｂは、ＭＭＳ端末２１０ｂに、送信要求を受信したことを通知する送信応答を送信する（Ｓ３０３）。
【００８５】
ＭＭＳリレー／サーバ２３０ｂは、メッセージ制御装置２４０に、メッセージの移動端末２１０ａへの転送を要求する転送要求を送信する（Ｓ３０４）。転送要求にはメッセージが含まれる。メッセージ制御装置２４０は、まず、転送要求を受信したことをＭＭＳリレー／サーバ２３０ｂに通知する（Ｓ３０５）。更に、メッセージ制御装置２４０は、メッセージを受信し、転送を了承したことを通知する転送応答をＭＭＳリレー／サーバ２３０ｂに送信する（Ｓ３０６）。ＭＭＳリレー／サーバ２３０ｂは、転送応答を受信したことをメッセージ制御装置２４０に通知する（Ｓ３０７）。
【００８６】
メッセージ制御装置２４０は、ＭＭＳ端末２１０ｂから移動端末２１０ａへの提供情報及び通知情報を含むメッセージを、第１メッセージングシステム２００ａにおけるメッセージ形式に変換して、メッセージサーバ２３０ａに送信する（Ｓ３０８）。メッセージサーバ２３０ａは、メッセージを受信したことをメッセージ制御装置２４０に通知する（Ｓ３０９）。メッセージサーバ２３０ａは、メッセージ保持部２３４ａに移動端末２１０ａへのメッセージを格納する（Ｓ３１０）。メッセージサーバ２３０ａは、移動端末２１０ａへのメッセージから通知情報を取得し、取得した通知情報を含む着信通知を移動端末２１０ａに送信する（Ｓ３１１）。その後、ステップ（Ｓ３１２）〜（Ｓ３１８）が行われる。ステップ（Ｓ３１２）〜（Ｓ３１８）は、図２に示したステップ（Ｓ１０５）〜（Ｓ１１１）と同様である。
【００８７】
次に、図６を用いて、メッセージサーバ２３０ａがメッセージにより通知情報を送信する場合の通信方法について説明する。図６でも、移動端末２１０ａが送信先端末であり、ＭＭＳ端末２１０ｂが送信元端末である。まず、ステップ（Ｓ４０１）〜（Ｓ４０７）が行われる。ステップ（Ｓ４０１）〜（Ｓ４０７）は、図５に示したステップ（Ｓ３０１）〜（Ｓ３０７）と同様である。メッセージ制御装置２４０は、ＭＭＳリレー／サーバ２３０ｂから受信したメッセージに含まれる提供情報を、ＷＷＷサーバ部２４５に格納する。メッセージ制御装置２４０は、ＭＭＳ端末２１０ｂが送信したメッセージの提供情報を提供情報の格納先であるＵＲＬアドレスに置換して、ＵＲＬアドレス及び通知情報を含むメッセージを生成する（Ｓ４０８）。
【００８８】
メッセージ制御装置２４０は、生成したＵＲＬアドレス及び通知情報を含むＭＭＳ端末２１０ｂから移動端末２１０ａへのメッセージを、第１メッセージングシステム２００ａにおけるメッセージ形式に変換してメッセージサーバ２３０ａに送信する（Ｓ４０９）。メッセージサーバ２３０ａは、メッセージを受信したことをメッセージ制御装置２４０に通知する（Ｓ４１０）。メッセージサーバ２３０ａは、メッセージ保持部２３４ａに移動端末２１０ａへのメッセージを格納する（Ｓ４１１）。その後、ステップ（Ｓ４１２）〜（Ｓ４１７）が行われる。ステップ（Ｓ４１２）〜（Ｓ４１７）は、図３に示したステップ（Ｓ２０６）〜（Ｓ２１１）と同様である。
【００８９】
ステップ（Ｓ４１７）において、判断結果が「受信拒否」の場合には、移動端末２１０ａは、メッセージ制御装置２４０に拒否通知を送信する（Ｓ４１８）。そして、メッセージ制御装置２４０は、ＷＷＷサーバ部２４５に格納しているメッセージを破棄する（Ｓ４１９）。一方、ステップ（Ｓ４１７）において、判断結果が「受信希望」の場合には、移動端末２１０ａは、ＵＲＬ閲覧操作を行う（Ｓ４２０）。そして、移動端末２１０ａは、メッセージ制御装置２４０にＵＲＬ閲覧要求を送信する（Ｓ４２１）。メッセージ制御装置２４０は、ＵＲＬ閲覧要求に含まれるＵＲＬアドレスに格納している提供情報を、移動端末２１０ａに送信する（Ｓ４２２）。
【００９０】
〔効果〕
このような通信システム２００、メッセージサーバ２３０ａ、ＭＭＳリレー／サーバ２３０ｂ、メッセージ制御装置２４０、移動端末２１０ａ、ＭＭＳ端末２１０ｂ及び通信方法によれば、第１の実施の形態と同様の効果を得ることができる。加えて、メッセージ制御装置２４０の制御部２４３が、提供情報の格納先情報及び通知情報を含むメッセージを生成し、メッセージサーバインタフェース部２４１、ＭＭＳリレー／サーバインタフェース部２４２がそれぞれ、制御部２４３が生成したメッセージを、メッセージサーバ２３０ａ、ＭＭＳリレー／サーバ２３０ｂに送信する。そのため、メッセージ制御装置２４０が格納先情報及び通知情報を含むメッセージを生成して、メッセージサーバ２３０ａ、ＭＭＳリレー／サーバ２３０ｂを介して送信先端末となった移動端末２１０ａ、ＭＭＳ端末２１０ｂに格納先情報及び通知情報を提供することができる。
【００９１】
又、メッセージサーバインタフェース部２４１と、ＭＭＳリレー／サーバインタフェース部２４２と、制御部２４３により、メッセージサーバ２３０ａとＭＭＳリレー／サーバ２３０ｂとの間のメッセージの送受信を中継できる。そのため、メッセージ制御装置２４０によれば、異なる複数のシステムを接続して、複数のシステム間でメッセージを送受信することができる。
【００９２】
［変更例］
本発明は、上記第１、第２の実施の形態に限定されるものではなく、種々の変更が可能である。図４に示したメッセージ制御装置２４０は、第１メッセージングシステム２００ａや第２メッセージングシステム２００ｂ内に設けたり、メッセージサーバ２３０ａ又はＭＭＳリレー／サーバ２３０ｂと一体型として設けたりしてもよい。又、メッセージ制御装置２４０は、移動端末２１０ａとＭＭＳ端末２１０ｂとの間のメッセージの送受信を中継しているが、中継を行わなくてもよい。更に、通信システム２００を構成する複数のシステムの数も限定されない。又、端末装置やネットワークの種類も、移動端末１０ａ，１０ｂ，２１０ａやＭＭＳ端末２１０ｂ、移動通信網５０，２５０ａ，２５０ｂに限定されず、インターネットなどを利用する固定ノードであってもよい。
【００９３】
又、上記第１、第２の実施の形態では、送信先端末となった端末装置やそのユーザは、通知情報に基づいて提供情報を受信しないと判断した場合には、提供情報を一律に受信していないが、図７に示すように、受信しないと判断した端末装置では受信しないが、他の端末装置で受信するように制御してもよい。図７は、図１に示す通信システム１００に、移動端末１０ａのユーザが使用する他の移動端末１０ｃが加わった通信システムを用いた通信方法の手順を示している。移動端末１０ａと移動端末１０ｃは、使用したい移動端末にＵＩＭを挿入することにより、使い分けることができる。
【００９４】
ＵＩＭが移動端末１０ａに挿入された状態で、ステップ（Ｓ５０１）〜（Ｓ５１１）が行われる。ステップ（Ｓ５０１）〜（Ｓ５１１）は、図３に示したステップ（Ｓ２０１）〜（Ｓ２１１）と同様である。ステップ（Ｓ５１１）において、例えば、移動端末１０ａが、処理可能なデータ形式が白黒画像のみである低機能端末装置であり、移動端末１０ｂ，１０ｃが、処理可能なデータ形式がカラー画像である高機能端末装置であった場合、移動端末１０ａの制御部１２又はそのユーザが、移動端末１０ａでは提供情報を受信しないと判断する。この場合、移動端末１０ａの制御部１２は、移動端末１０ｂからのメッセージの再送を要求する「メッセージ再送要求」を通信部１１に入力する。通信部１１は、メッセージ再送要求をメッセージサーバ３０に送信する。メッセージサーバ３０の端末インタフェース部３１は、メッセージ再送要求を受信し、制御部３３に入力する（Ｓ５１２）。
【００９５】
その後、移動端末１０ａからＵＩＭが抜かれ、移動端末１０ｃに挿入される（Ｓ５１６）。メッセージサーバ３０の制御部３３は、再度、着信通知を生成し、端末インタフェース部３１が着信通知を移動端末１０ｃに再送する（Ｓ５１７）。着信通知を受信した移動端末１０ｃは、メッセージ受信要求をメッセージサーバ３０に再送する（Ｓ５１８）。メッセージサーバ３０は、ＵＲＬアドレスを含むメッセージを移動端末１０ｃに再送する（Ｓ５１９）。このメッセージにも、通知情報を含めてもよい。移動端末１０ｃは、ＵＲＬ閲覧操作を行い（Ｓ５２０）、ＷＷＷサーバ４０にＵＲＬ閲覧要求を送信する（Ｓ５２１）。ＷＷＷサーバ４０は、ＵＲＬ閲覧要求に含まれるＵＲＬアドレスに格納している提供情報を、移動端末１０ｃに送信する（Ｓ５２２）。
【００９６】
一方、ステップ（Ｓ５１１）において、例えば、移動端末１０ａが、処理可能なデータ形式がカラー画像である高機能端末装置であり、移動端末１０ｂが、処理可能なデータ形式が白黒画像のみである低機能端末装置、又は、カラー画像である高機能端末装置であった場合、移動端末１０ａの制御部１２又はそのユーザが、移動端末１０ａで提供情報を受信すると判断する。この場合は、ステップ（Ｓ５１３）〜（Ｓ５１５）が行われる。ステップ（Ｓ５１３）〜（Ｓ５１５）は、図３に示した（Ｓ２１４）〜（Ｓ２１６）と同様である。
【００９７】
尚、ステップ（Ｓ５１２）において、移動端末１０ａがメッセージ再送要求をメッセージサーバ３０に送信し、ステップ（Ｓ５１７）において、メッセージサーバ３０が着信通知を移動端末１０ｃに再送することを契機として、メッセージサーバ３０は、メッセージ受信要求を移動端末１０ｃから受信してメッセージを移動端末１０ｃに再送しているが、移動端末１０ｃへのメッセージの送信の契機は、着信通知の再送に限定されない。例えば、ステップ（Ｓ５１６）において、ＵＩＭ挿入後、移動端末１０ｃの電源をオンにすると、それを契機として、移動端末１０ｃの通信部１１が、アタッチ（Ａｔｔａｃｈ）信号をメッセージサーバ３０に送信する。メッセージサーバ３０は、アタッチ信号の受信を契機として、移動端末１０ｃにメッセージを送信することができる。
【００９８】
【発明の効果】
以上説明したように、本発明によれば、端末装置の性能情報や提供情報の著作権情報に基づいて、提供情報を受信するか否かを判断できる。
【図面の簡単な説明】
【図１】本発明の第１の実施の形態に係る通信システムの構成を示すブロック図である。
【図２】本発明の第１の実施の形態に係る着信通知により通知情報を送信する場合の通信方法の手順を示すフロー図である。
【図３】本発明の第１の実施の形態に係るメッセージにより通知情報を送信する場合の通信方法の手順を示すフロー図である。
【図４】本発明の第２の実施の形態に係る通信システムの構成を示すブロック図である。
【図５】本発明の第２の実施の形態に係る着信通知により通知情報を送信する場合の通信方法の手順を示すフロー図である。
【図６】本発明の第２の実施の形態に係るメッセージにより通知情報を送信する場合の通信方法の手順を示すフロー図である。
【図７】本発明の変更例に係る通信方法の手順を示すフロー図である。
【符号の説明】
１０ａ，１０ｂ，１０ｃ，２１０ａ  移動端末
１１  通信部
１２  制御部
１３  記憶部
１４  入力部
１５  出力部
１６  カメラ
１７  カードインタフェース部
２０，２２０ａ，２２０ｂ  無線基地局
３０，２３０ａ  メッセージサーバ
３１，２３１ａ，２３１ｂ  端末インタフェース部
３２  サーバインタフェース部
３３，２３３ａ，２３３ｂ  制御部
３４，２３４ａ，２３４ｂ  メッセージ保持部
３５，２４４  端末情報データベース
４０  ＷＷＷサーバ
５０  移動通信網
１００，２００  通信システム
２００ａ  第１メッセージングシステム
２００ｂ  第２メッセージングシステム
２１０ｂ  ＭＭＳ端末
２３０ｂ  ＭＭＳリレー／サーバ
２３２ａ  制御装置インタフェース部
２４１  メッセージサーバインタフェース部
２４２  ＭＭＳリレー／サーバインタフェース部
２４３  制御部
２４５  ＷＷＷサーバ部
【図１】
2005078118.tif 000003
【図２】
2005078118.tif 000004
【図３】
2005078118.tif 000005
【図４】
2005078118.tif 000006
【図５】
2005078118.tif 000007
【図６】
2005078118.tif 000008
【図７】
2005078118.tif 000009